(57)【要約】【課題】簡単な構造で、既存の乗客コンベアに対する後付けも容易であり、乗客コンベアの利用者に対して櫛の位置をはっきりと報知することができる乗客コンベアの乗降口照明装置を提供する。【解決手段】乗客コンベアの乗降口照明装置において、乗客コンベア１の乗降口６に配置されて循環移動するステップ２の上方を覆うコムプレート７の先端側に取付けられる透光性樹脂により形成された櫛８と、コムプレート７と櫛８との間に介装される薄板状光源１１と、を備える。【選択図】    図２
2007176681.tif 000002
【特許請求の範囲】
【請求項１】
乗客コンベアの乗降口に配置され、無端状に連結されて循環移動するステップの上方を覆うコムプレートの先端側に取付けられる透光性樹脂により形成された櫛と、
前記コムプレートと前記櫛との間に介装される薄板状光源と、
を備えることを特徴とする乗客コンベアの乗降口照明装置。
【請求項２】
前記薄板状光源の輝度を可変する輝度可変手段が設けられ、前記輝度可変手段は乗客コンベアの利用者の有無を検知する検知手段からの検知結果に応じて前記利用者が居ない場合は前記利用者が居る場合より前記薄板状光源の輝度を低くすることを特徴とする請求項１記載の乗客コンベアの乗降口照明装置。
【請求項３】
前記薄板状光源の輝度を可変する輝度可変手段が設けられ、前記輝度可変手段は乗客コンベアの利用者が前記乗降口に近付いたことを検知する検知手段からの検知結果に応じて前記薄板状光源の輝度の昇降を繰り返すことを特徴とする請求項１記載の乗客コンベアの乗降口照明装置。
【請求項４】
乗客コンベアの乗降口に配置され、無端状に連結されて循環移動するステップの上方を覆うコムプレートの先端側に取付けられる櫛の上面に取付けられる薄板状光源、
を備えることを特徴とする乗客コンベアの乗降口照明装置。
【発明の詳細な説明】
【技術分野】
【０００１】
本発明は、乗客コンベアの乗降口照明装置に関し、特に、乗客コンベアの利用者に対して乗降口の存在、又は、乗降口が近付いたことを効果的に報知することができる乗客コンベアの乗降口照明装置に関する。
【背景技術】
【０００２】
例えば、下記特許文献１に記載されているように、乗客コンベアの乗降口照明装置が知られている。
【０００３】
特許文献１に記載された乗客コンベアの乗降口照明装置によれば、櫛と化粧板とが載置されているコムプレートの上面に、櫛と化粧板との境目部分に位置して中空の細長い硬質透明樹脂製チューブを乗客コンベアの幅方向に沿って設け、この硬質透明樹脂製チューブ内にＬＥＤ等の複数の光源を配置している。
【０００４】
光源を点灯させることにより、乗客コンベアの利用者に対して櫛の位置をはっきりと報知することができ、乗客コンベアを安全に利用してもらうことができる。
【特許文献１】特開２００５−２９２９０号公報
【発明の開示】
【発明が解決しようとする課題】
【０００５】
しかしながら、前述の乗客コンベアの乗降口照明装置においては、以下の点について配慮がなされていない。
【０００６】
硬質透明樹脂製チューブを設置するためには、コムプレートに対して凹状の溝を形成する必要がある。
【０００７】
コムプレートは機械加工により形成されており、コムプレートに対して凹状の溝を形成する場合には加工工程を新たに一工程追加しなければならず、コストアップ、生産性の低下を招くことになる。
【０００８】
また、この乗降口照明装置は、新規に設置する乗客コンベアにおいて採用する場合は有効であるが、既存の乗客コンベアに対して追加する場合は、コムプレートを交換しなければならず、改修のための時間とコストとが増大する。
【０００９】
本発明はこのような課題を解決するためになされたもので、その目的は、簡単な構造で、既存の乗客コンベアに対する後付けも容易であり、乗客コンベアの利用者に対して櫛の位置をはっきりと報知することができる乗客コンベアの乗降口照明装置を提供することである。
【課題を解決するための手段】
【００１０】
本発明の実施の形態に係る第１の特徴は、乗客コンベアの乗降口照明装置において、乗客コンベアの乗降口に配置され、無端状に連結されて循環移動するステップの上方を覆うコムプレートの先端側に取付けられる透光性樹脂により形成された櫛と、前記コムプレートと前記櫛との間に介装される薄板状光源と、を備えることである。
【００１１】
本発明の実施の形態に係る第２の特徴は、乗客コンベアの乗降口に配置されて循環移動するステップの上方を覆うコムプレートの先端側に取付けられる櫛の上面に取付けられる薄板状光源、を備えることである。
【発明の効果】
【００１２】
本発明によれば、簡単な構造とすることができ、既存の乗客コンベアに対して容易に後付けすることができ、乗客コンベアの利用者に対して櫛とステップとの境の位置をはっきりと報知することができる。
【発明を実施するための最良の形態】
【００１３】
以下、本発明の実施の形態を図面を用いて説明する。
【００１４】
（第１の実施の形態）
本発明の第１の実施の形態に係る乗客コンベアであるエスカレータ１は、図１に示すように、チェーン（図示せず）により無端状に連結されて循環移動する複数のステップである踏段２と、踏段２の移動方向両側に配置された一対のエスカレータフレーム３と、エスカレータフレーム３の上部に立設された一対の欄干４とを有している。欄干４の外周部には、踏段２と同期して踏段２と等速で移動する手すりベルト５が設けられている。
【００１５】
エスカレータ１の乗降口6には、循環移動するステップ２の上方を覆うコムプレート７が設けられている。コムプレート７の先端側であって踏段２に向けて傾斜した部分の上面には櫛８が皿ネジ９により締付固定されている。コムプレート７の上面であって櫛８より後端側の部分には、エスカレータの利用者が踏締める化粧板１０が取付けられている。
【００１６】
櫛８の先端部にはエスカレータ１の幅方向（一対の欄干４が対向する方向）に沿って複数の歯部８ａが凸状に形成され、これらの歯部８ａは、踏段２の上面に設けられたクリート溝２ａと非接触で噛合うように位置付けられている。
【００１７】
櫛８は、透光性樹脂により形成されている。櫛８を形成する樹脂の透光性能に関しては、後述するように櫛８の下側に配置されて光源となるＥＬシートから発光される光を櫛８の上面側から視認できる程度の透光性能を有することが必要であり、透光性能は高ければ高い程好適である。
【００１８】
コムプレート７と櫛８との間の重なり合った部分には、薄板状光源であるＥＬ（Electroluminescence）シート１１が介装されている。ＥＬシート１１は、皿ネジ９により櫛８と共にコムプレート７に締付固定されている。ＥＬシート１1は、交流電圧を印加することにより発光する。
【００１９】
ＥＬシート１１は、ＥＬシート１１の輝度を可変する輝度可変手段である制御部１２に接続されている。制御部１２は信号線１３を介してＥＬシート１１に接続され、制御部１２は交流電源１４に接続されている。
【００２０】
制御部１２は、プログラムや固定データを格納したＲＯＭと、各種センサからの信号を一時的に記憶するＲＡＭと、ＲＡＭに入力された信号を用いてＲＯＭに格納されたプログラムによる各種演算を行うＣＰＵとを備えている。さらに、制御部１２は、インバータとしての機能を有し、各種センサからの信号を受信して周波数を可変し、ＥＬシート１１に出力する電力を可変する制御を行う。制御部１２により行われる制御の一つに、エスカレータを利用する利用者の有無を検知する検知手段からの検知結果に応じて利用者が居ない場合は利用者が居る場合よりＥＬシート１１の輝度を低くする制御がある。また、制御部１２により行われる他の制御の一つに、エスカレータの利用者が乗降口６に近付いたことを検知する検知手段からの検知結果に応じてＥＬシート１１の輝度の昇降を繰り返す制御がある。
【００２１】
このような構成において、ＥＬシート１１に交流電圧が印加されてＥＬシート１１が発光すると、ＥＬシート１１から発光された光は透光性樹脂により形成された櫛８を透過し、透過した光が櫛８の上面から放射される。櫛８の上面から放射された光は、エスカレータの利用者により視認される。これにより、櫛８の上面から光を放射することにより、エスカレータの利用者に対し、櫛８と踏段２との境の位置をはっきりと報知することができ、櫛８と踏段２との境の位置を意識しなかったり誤認したりしたために発生する事故を防止することができる。
【００２２】
ＥＬシート１１の取付けは、コムプレート７と櫛８との間にＥＬシート１１を介装し、ＥＬシート１１を櫛８と共に皿ネジ９で締付固定することに行える。このため、ＥＬシート１１の取付構造を極めて簡単な構造とすることができる。さらに、既存のエスカレータに対してＥＬシート１１を後付する場合であっても、大掛かりな改修工事が不要であり、後付け作業を容易に、かつ、安価に行うことができる。
【００２３】
また、ＥＬシート１１をコムプレート７と櫛８との間に介装したことにより、ＥＬシート１１が利用者に直接踏まれるということを防止することができ、ＥＬシート１１の耐久性向上を図ることができる。
【００２４】
ＥＬシート１１の点灯制御に関しては、ＥＬシート１１の輝度を可変することができ、例えば、利用者の有無を検知する検知手段からの検知結果に応じて、利用者が居る場合には印加する電圧を上げることにより輝度を高くし、利用者が居ない場合は印加する電圧を下げることにより輝度を低くすることができる。これにより、利用者に対して櫛８と踏段２との境の位置をはっきりと報知することができるとともに、消費電力の軽減とＥＬシート１１の長寿命化とを図ることができる。
【００２５】
さらに、ＥＬシート１１の点灯制御に関しては、利用者が乗降口６に近付いたことを検知する検知手段からの検知結果に応じて印加する電圧を昇降させ、ＥＬシート１１の輝度の昇降を繰り返すことができる。これにより、利用者に対して櫛８と踏段２との境の位置をより一層はっきりと報知することができる。
【００２６】
（第２の実施の形態）
本発明の第２の実施の形態に係る乗客コンベアの乗降口照明装置を図４に基づいて説明する。なお、第１の実施の形態において説明した構成要素と同じ構成要素には同じ符号を付け、重複する説明は省略する。
【００２７】
第２の実施の形態では、コムプレート７の先端側に櫛１５が取付けられ、櫛１５の上面にＥＬシート１１が取付けられている。櫛１５の上面へのＥＬシート１１の取付け方法は、ネジ止め、接着を採用することができる。ＥＬシート１１は、０．２〜１．０ｍｍの厚さ寸法であって薄いので、エスカレータの利用者がＥＬシート１１につまづくことが起こらず、ＥＬシート１１を櫛１５の上面に取付けた場合でもエスカレータの利用者に対して影響を与えない。
【００２８】
櫛１５の外観形状は櫛８と同じであり、先端部にエスカレータ１の幅方向（一対の欄干４が対向する方向）に沿って複数の歯部１５ａが凸状に形成され、これらの歯部１５ａは、踏段２の上面に設けられたクリート溝２ａと非接触で噛合うように位置付けられている。
【００２９】
また、ＥＬシート１１を櫛１５の上面に取付けることにより、櫛１５を透光性の材料で形成する必要がなく、従来使用されている透光性を有しない金属製などの櫛１５をそのまま使用することかできる。
【００３０】
第２の実施の形態におけるＥＬシート１１の目的は第１の実施の形態と同じであり、このＥＬシート１１を点灯させることにより、エスカレータの利用者に対して櫛１５と踏段２との境の位置をはっきりと報知することができる。
【図面の簡単な説明】
【００３１】
【図１】本発明の第１の実施の形態に係るエスカレータの乗降口照明装置を示す側面図である。
【図２】エスカレータの乗降口照明装置を示す縦断側面図である。
【図３】エスカレータの乗降口照明装置を示す平面図である。
【図４】本発明の第２の実施の形態に係るエスカレータの乗降口照明装置を示す縦断側面図である。
【符号の説明】
【００３２】
１      乗客コンベア
２      ステップ
６      乗降口
７      コムプレート
８      櫛
１１      薄板状光源
１２      輝度可変手段
１５      櫛
【図１】
2007176681.tif 000003
【図２】
2007176681.tif 000004
【図３】
2007176681.tif 000005
【図４】
2007176681.tif 000006